Podtech/llm-jp-corpus-v4-ja_patent huggingface dataset:
(57)【要約】      （修正有）【課題】携帯電話によって、疑問におもったことが辞書を引くことで簡単に理解でき、海外又は国内でも外国の方と簡単に意思がつたえられるようにする。【解決手段】現在ある携帯電話に、辞書、各国語（文書）に変換するソフト等を組み込み、車に取り付ける。誰でも持っている携帯電話を日常で便利に使えるようにした。特に海外に出かける人には携帯電話は持って出かけるとおもわれる。この携帯電話で辞書を引くことができ、文書又は会話が出来ればこんなに便利なものはない。現在では留守伝電話での、トークを聞くことは出来るけど留守伝電話は聞く人は少ないとおもわれるトークメールだと、簡単に聞くことが出来る。又、車中での通話が出来るので車中で、どうしても連絡をとりたい時は通話が出来る。【選択図】図３
2009239878.tif 000002
【特許請求の範囲】
【請求項１】
従来、携帯電話はトーク、メール、写真、音楽を聴く、などに使われている。
この携帯ではタッチパネルで辞書を引くことができ、日本語の文字で、各国の文章に変換することができて、耳で聞くことができる。
現在ではメールは文書と絵文字でメールのやり取りをしているがトークでメールを送ることが出来る。
音楽は本体又はメモリ等をパソコン等から書き込んで、聞くことが出来る現在いろいろの媒体で音楽を聴く人が多いが携帯電話があれば他のものは必要としないですむ
【請求項２】
車での携帯電話の使用は禁止されているが車に〔図  ３〕に記載した装置を取り付けする事で車の中でも会話が出来る
音楽を聴たり、勉学の役に立つ
【発明の詳細な説明】
【技術分野】
【０００１】本発明は、誰でも持っている携帯電話を日常で便利に使えるようにした
特に海外に出かける人には携帯電話は持って出かけるとおもわれる
この携帯電話で辞書を引くことができ、文書又は会話が出来ればこんなに便利なものはない
現在では留守伝電話での、トークを聞くことは出来るけど留守伝電話は聞く人は少ないとおもわれる
トークメールだと、簡単に聞くことが出来る
又、車中での通話が出来るので車中で、どうしても連絡をとりたい時は通話が出来る。
【背景技術】
【０００２】携帯電話が多目的に使えて、車中での通話が出来る。
【特許文献１】
【特許文献２】
【非特許文献１】
【非特許文献２】
【発明の開示】
【発明が解決しようとする課題】
【０００３】多くの人が持っている携帯電話を、より多目的に使用できる。
【課題を解決するための手段】
【０００４】携帯電話にタッチパネルで、辞書が引け各国の文書と会話が出来る。
各国の人々も同様に自国の文章で各国の文書と会話に変えることが出来るトークメールが出来る。
音楽等が聴ける
【発明の効果】
【０００５】上述したように本発明は、現在の世の中で手放すことが出来ない携帯電話をより便利に使用することが出来る。
【発明を実施するための最良の形態】
【０００６】本発明の実施の形態を図１〜図３に基づいて説明する。
【実施例】
【産業上の利用可能性】
【図面の簡単な説明】
【図１】従来の携帯電話
【図２】辞書、トーク、各国の文書と通話
【図３】車載に使用する機器と回路
【符号の説明】
Ａ  通話を聞く、音楽を聴く、スピーカー
Ｂ  字が出る  液晶パネル
Ｃ  タッチパネル
Ｄ  メモリー等を入れる。
Ｅ  携帯の信号をいけたら携帯電話とラジオ切り替えるスィチ
Ｆ  ラジオのスピーカーを利用して音量の調整する。
Ｇ  電話をしてきた人の名前が出る（携帯に登録した人等）（液晶等）
【図１】
2009239878.tif 000003
【図２】
2009239878.tif 000004
【図３】
2009239878.tif 000005
(57)【要約】【課題】本発明は、積層フィルタに関し、周波数特性の劣化を抑制することを目的とする。【解決手段】本発明は、複数の誘電体層１からなる積層体２と、この積層体２に設けられた接地用側面電極８ａ，８ｂと、一端が接地用側面電極８ａに接続され他端が接地用側面電極８ｂの側に延出された共振器電極３と、共振器電極３と電気的に接続された入出力電極４を備え、積層体２の内部に接地用側面電極８ｂと対向するビアホール９を設け、このビアホール９の一端を共振器電極３に接続し他端を開放端としたオープンスタブ電極を形成する構成としたのである。【選択図】図１
2009239387.tif 000002
【特許請求の範囲】
【請求項１】
複数の誘電体層からなる積層体と、この積層体の対向する側面に設けられた接地用側面電極と、前記積層体の内部に設けられるとともに、一端が前記一方の接地用側面電極に接続され他端が前記他方の接地用側面電極の側に延出されて開放端を形成する共振器電極と、前記積層体の内部に設けられるとともに、前記共振器電極と電気的に接続された入出力電極とを備え、前記積層体の内部に前記他方の接地用側面電極と対向するビアホールを設け、このビアホールの一端を前記共振器電極に接続し他端を開放端としたオープンスタブ電極を形成することを特徴とした積層フィルタ。
【発明の詳細な説明】
【技術分野】
【０００１】
本発明は、通信機器等に用いられる積層フィルタに関するものである。
【背景技術】
【０００２】
一般に積層フィルタは、複数の誘電体層からなる積層体の内部に共振器電極を並設するとともに、この共振器電極に入出力電極を接続する構成が知られており、この積層フィルタの周波数特性を向上させるにあたっては、入出力電極にオープンスタブを接続することが考えられ、従来、このオープンスタブ電極は共振器電極などの他の電極と同様に誘電体層間にパターン電極として形成していた。
【０００３】
なお、この出願の発明に関する先行技術文献情報としては、例えば、特許文献１が知られている。
【特許文献１】特開平１１−２０５００６号公報
【発明の開示】
【発明が解決しようとする課題】
【０００４】
しかしながら、オープンスタブ電極や共振器電極は積層体の内部においてストリップラインを構成する電極であるが、実質的にインダクタ成分を含んだものとなっているため、積層フィルタの小型化が進められる中、オープンスタブ電極と共振器電極に不要結合が生じ、結果として積層フィルタの周波数特性を劣化させてしまうという問題があった。
【０００５】
そこで、本発明はこのような問題を解決し、積層フィルタの周波数特性の劣化を抑制することを目的とする。
【課題を解決するための手段】
【０００６】
そこで、この目的を達成するため本発明は、積層フィルタを形成する積層体の内部において共振器電極の開放端側に設けられた接地用側面電極と対向するビアホールを設け、このビアホールの一端を前記共振器電極に接続し他端を開放端としたオープンスタブ電極を形成したのである。
【発明の効果】
【０００７】
この構成により、積層フィルタの周波数特性の劣化を抑制することが出来るのである。
【発明を実施するための最良の形態】
【０００８】
以下、本発明の一実施形態について図を用いて説明する。
【０００９】
図１は積層フィルタの構造を示したものであり、図２は、同断面図である。同図において、その基本構造はガラスセラミクスからなる誘電体層１を複数積み重ねた積層体２の内部に２つの共振器電極３と、この共振器電極３に接続された入出力電極４と、隣り合う共振器電極３を容量結合させる結合電極５と接地電極６が配置され、積層体２の外周側面には入出力用側面電極７と接地用側面電極８ａ，８ｂが設けられた構造となっている。なお、入出力用側面電極７および接地用側面電極８ａ，８ｂは積層体２の外周側面から上下面にわたりコ字状に設けている。
【００１０】
また、接地電極６は共振器電極３や入出力電極４及び結合電極５を積層方向に挟むよう積層体２の上下に設けられ、接地電極６に挟まれた各共振器電極３は一端が接地用側面電極８ａに接続されて接地用側面電極８ｂ側に向けて延伸されるとともに、接地用側面電極８ｂとは接続されない開放端となった片端短絡型のλ／４ストリップラインを構成している。なお、入出力電極４は入出力用側面電極７におけるインピーダンスが５０Ωとなるような共振器電極３の位置に接続されている。
【００１１】
そして、この積層フィルタにおいては、接地用側面電極８ｂに近接する共振器電極３の開放端側にビアホール９を接続し、このビアホール９の先端を他の電極とは非接続な開放端とすることにより、共振器電極３にオープンスタブ電極を接続した構成とし、これによりオープンスタブ電極を構成するビアホール９とストリップラインを形成する共振器電極３との不要結合を低減させ、積層フィルタにおける周波数特性の劣化を抑制したのである。
【００１２】
すなわち、通常、積層体の内部に設けられるビアホールは異なる層に設けられた電極間の接続を行うものであるが、この一実施形態におけるビアホール９は接地用側面電極８ｂと対向配置させたことによりストリップライン構造となり、その一端を開放端とすることで共振器電極３に対してビアホール９の電極長をλ／４とするオープンスタブ電極が形成でき、そして、共振器電極３が設けられた層間の平面とオープンスタブ電極を形成するビアホール９の延伸方向が直交するようになり、これらの電極間における不要結合が上述した従来の構成に比べ抑制されることとなり、結果として積層フィルタの周波数特性劣化が抑制できるのである。
【００１３】
なお、ビアホール９によって形成されたオープンスタブ電極の周波数調整を行う場合には、特に図示していないが、ビアホール９の径を調節することや、ビアホール９と接地用側面電極８ｂとの間隔を調整することにより行え、また、ビアホール９を異なる径のビアホール９を直列に接続した構成とすることでステップド・インピーダンス・リゾネータ構造となり波長圧縮効果が得られ積層フィルタの小型化に有効となる。
【産業上の利用可能性】
【００１４】
本発明は積層フィルタの周波数特性の劣化を抑制することができ、主として通信機器等に用いられる高周波回路用途において有用となる。
【図面の簡単な説明】
【００１５】
【図１】本発明の一実施形態を示す積層フィルタの分解斜視図
【図２】同積層フィルタの断面図
【符号の説明】
【００１６】
１  誘電体層
２  積層体
３  共振器電極
４  入出力電極
８ａ，８ｂ  接地用側面電極
９  ビアホール（オープンスタブ電極）
【図１】
2009239387.tif 000003
【図２】
2009239387.tif 000004
(57)【要約】【課題】包丁の切れ味は料理を左右するとまで言われている。が、業者に研ぎに出すとかなりの費用が掛かる。市販の包丁研ぎ器は、固定型砥石や回転型砥石を使用しており、本体を含め砥石の交換も安価ではない。砥石の磨耗を少なくするのにダイアモンド砥粒を使用したものは素人に扱い難い上にさらに高価である。【解決手段】包丁を研ぐ場合には、必ず、砥粒の脱落や欠損、目詰まりが起き、継続して刃先を正しい形に研ぐことができなくなる。これを解決するには、細長い砥石、直方体の支持材の表面を研磨材で被覆した簡易砥石、あるいは研磨テープを、荒研ぎから仕上げまで用意し、容易に取り換えられる構造、砥粒の磨耗に応じて送り込む構造にすれば、簡単で手軽、低価格の包丁研ぎ器が実現する。【選択図】図１
2009226572.tif 000002
【特許請求の範囲】
【請求項１】
包丁などの刃先の角度か、それよりも大きめに設定した角度に合わせて、細長い砥石、研磨材で表面を被覆した研磨テープ、または直方体の支持材の必用面を研磨材で被覆した簡易砥石（以下これらを研磨素子という）を、偶数個、刃の両側から研げるように一つおきにＶ字型に設けられた、研磨素子を固定するために溝に、工具を使用しないで取り付けまたは交換を行い、刃先を研磨材のＶ字型の溝底に押しつけながら溝方向に移動させることにより包丁などの刃先を研ぐ包丁研ぎ器
【請求項２】
上記請求項１の包丁研ぎ器に使用する、直方体の表面に研磨布や研磨紙を貼り付けたもの、研磨剤を接着剤と混合して塗布したもの、ダイアモンドと粒などを鍍金などで固定したものなどからなる簡易砥石
【請求項３】
上記請求項１の包丁研ぎ器に、片刃と両刃、厚刃と薄刃と、刃先の角度に合わせて研磨素子の角度を調整する機構を取り入れた包丁研ぎ器
【請求項４】
上記請求項１の包丁研ぎ器に、研磨素子の砥粒の脱落や欠損に応じて、手動または自動で、研磨素子を刃先を研ぐ部分に送り込む機構を取り入れた包丁研ぎ器
【請求項５】
上記請求項１の包丁研ぎ器に、請求項３の研磨素子の角度を調整する機構と請求項４の研磨材を刃先を研ぐ部分に送り込む機構の双方を取り入れた包丁研ぎ器
【請求項６】
上記請求項１の研磨素子に振動を与え、研ぎの抵抗を軽減させることにより、研ぐ力の軽減と研ぎ時間の短縮を可能にした包丁研ぎ器
【発明の詳細な説明】
【技術分野】
【００１】  この発明は、包丁などの刃先の角度か、それよりも大きめに設定した角度に合わせて、細長い砥石、研磨材で表面を被覆した研磨テープ、または直方体の支持材の必用面を研磨材で被覆した簡易砥石（以下これらを研磨素子という）を、偶数個、刃の両側から研げるように一つおきにＶ字型に設けられた、研磨素子を固定するために溝に、工具を使用しないで取り付けまたは交換を行い、刃先を研磨材のＶ字型の溝底に押しつけながら溝方向に移動させることにより包丁などの刃先を研ぐ包丁研ぎ器に関するものである。
【背景技術】
【００２】  現在、市販されている包丁研ぎ器は、電池駆動などにより回転する砥石を使用したもの、あるいは細長い砥石をＶ字型に組み合わせたものが多い。いずれも溝底に押しつけながら包丁を移動させるだけで刃先を容易に研ぐことが出来る。が研いでいるうちに砥石が局部的に磨耗してくるため、刃先に砥石があたらなくなって刃先を研ぐことが出来なくなり、砥石の交換が必要になってくる。磨耗しにくい砥粒を使った包丁研ぎ器では砥粒の目詰まりは避けることが出来ない。
【発明が解決しようとする課題】
【００３】包丁を研ぎに出すには、刃物店や百貨店やスーパーなどが、刃物の販売、研ぎあるいは研ぎの仲介をしている。また百貨店やスーパーなどを巡回しながら、定期的または不定期的に包丁研ぎを行っている場合もある。しかしながら、研ぎ代は比較的高価である。市販の包丁研ぎ器はあるが、価格は高く、砥石の取り換えが必要である。家庭で、低価格で、手軽に包丁を研ぐことが望まれている。
【課題を解決するための手段】
【００４】砥石で包丁を研ぐのは容易ではない。が、刃物を研ぎ慣れていない人でも、刃物をＶ字型の砥石の溝に押しつけながら動かすことは容易で、極めて簡単に研ぐことが出来る。課題は砥石の局部的な磨耗である。細長い砥石または支持材に研磨布テープを貼り付けた研磨素子を使用し、簡単に取り換えできるようにするか、研磨布をテープ状に切断し、研磨布が磨耗した場合には研磨テープを送り込むことにより、新しい研磨面で研ぐことが出来るようにすれば解決する。磨耗しにくい研磨剤を使用した場合の目詰まりも避けることができる。
【発明を実施するための最良の形態】
【００５】  以下、本発明の実施の形態について説明する。細長い砥石または簡易砥石は、図１に示すように、刃先の両側から均等に研げるように、同じ数の素子を交互にＶ字型に取り付ける。砥粒が磨耗すれば、引き抜いて取り換えるか、図２に例示する機構により、研磨素子を送り込む。研磨素子が砥石または簡易砥石の場合は少なくとも素子の上下と裏表が使用できる。研磨素子が研磨テープの場合は、図３のように、刃先の両側に交互にかつＶ字型に配置した、押さえバネと巻き取りローラの間に装着する。研磨テープが磨耗すれば巻き取りローラで適量を巻き取る。研磨素子の交換が容易なため、要求に応じて荒研ぎから仕上げまで簡単に対応できる。図示してないが、包丁を支持するガイドにより、片刃や薄刃、厚刃と刃先の形状に合わせて包丁を支持する角度を変えることができる。
【発明の効果】
【００６】包丁の切れ味は料理の味を左右する重要な要素の一つである。日頃包丁の切れ味に不満を持つ人も多く包丁が使われなくなった要因の一つでもある。普及型の包丁研ぎ器の実現により荒砥ぎから仕上げまで容易に包丁を研ぐことが出きる。包丁の切れ味が改善され、料理の幅が広がると同時に楽しみが増え、切れ味の悪い包丁による怪我も減少し、生活の質の向上に貢献する所大である。
【図面の簡単な説明】
【図１】  本発明による包丁研ぎ器の基本構成図を示す。
【図２】  本発明の包丁研ぎ器の砥石型素子の位置決めの一例を示す。
【図３】  本発明の包丁研ぎ器の研磨テープのローラ駆動の一例を示す。
【図１】
2009226572.tif 000003
【図２】
2009226572.tif 000004
【図３】
2009226572.tif 000005
(57)【要約】【課題】  法面丁張を、短時間かつ１人で作る為の法面丁張用スラントルールを提供する。【解決手段】水平定規と勾配定規に軸を設け、互いに軸が交わるように装着し、勾配定規を任意の角度に合わせ固定し法面丁張を作成する事を特徴とする法面丁張用スラントルール。【選択図】図１
2009226912.tif 000002
【特許請求の範囲】
【請求項１】
水平定規と勾配定規に軸を設け、互いに軸が交わるように装着し、勾配定規を任意の角度に合わせ固定し法面丁張を作成する事を特徴とする法面丁張用スラントルール。
【発明の詳細な説明】
【技術分野】
【０００１】  本発明は、法面整形を行う際、目安となる丁張を短時間かつ、１人で作る為の法面丁張用スラントルールに関するものである。
【背景技術】
【０００２】  従来は、勾配を合わせたスラントルールを丁張の水平の貫に出した法肩にあて、勾配と同じ角度で貫を固定させるが、法肩と角度を同時に見る為、一人では時間が掛かり短時間でやるには二人以上の人数を要する。
【発明の開示】
【発明が解決しようとする課題】
【０００３】  そのために次のような問題点があった。
（イ）法肩と角度を同時に見る為一人では時間が掛かり正確性に問われた。
（ロ）短時間かつ、正確に丁張を作る為に二人以上でやるが、その分人手が掛かった。
本発明は、これらの問題点を解決する為になされたのもである。
【課題を解決するための手段】
【０００４】  水平定規と勾配定規に軸を設け、互いに軸が交わるように装着し、勾配定規を任意の角度に合わせ固定し、法面丁張を作成する事を特徴とする法面丁張用スラントルール。
【発明の効果】
【０００５】  本発明は、法面丁張を作る際１人で短時間に行える作りになっている。
【発明を実施するための最良の形態】
【０００６】    以下、本発明の形態について説明する。
（イ）水平定規（１）に水平器（６）を設け、水平定規（１）と勾配定規（２）に軸（３）を設け、互いに軸（３）が交わるように装着する。
（ロ）軸（３）と分度器（４）の中心が一致するように取付け、水平定規（１）と勾配定規（２）の下端に受け金具（５）を設ける。
本発明は以上の構成からなるので、本発明を使用する時は、勾配定規（２）を旋回させ分度器（４）で任意の角度に合わせ、固定する。法面丁張の水平貫（７）に水平定規（１）の受け金具（５）を合わせ、尚且つ法面丁張の法肩（８）に軸（３）を合わせ、勾配定規（２）の受け金具（５）に法面貫（９）を合わせ、水平貫（７）に法面貫（９）を釘（１０）固定させる。
【図面の簡単な説明】
【０００７】
【図１】本発明の側面図
【図２】本発明の分解斜視図
【図３】本発明の使用状況を示す側面図
【符号の説明】
【０００８】    １  水平定規
２  勾配定規
３  軸
４  分度器
５  受け金具
６  水平器
７  水平貫
８  法肩
９  法面貫
１０  釘
１１  杭
【図１】
2009226912.tif 000003
【図２】
2009226912.tif 000004
【図３】
2009226912.tif 000005
(57)【要約】【課題】火災による煙臭の除去方法を提供する。【解決手段】噴霧器等を使用し、火災現場周辺の煙臭が残る部屋の壁，天井，床等に、オリーブオイルを原料とした水溶液を均一に噴霧したのち、さらに、檜、バラ、竹、熊笹、白樺、桜、松、杉、紅葉などの炭化過程で採取され精製処理された木酢液、竹酢液等の植物酢液を原料とした水溶液を合わせて噴霧することにより、火災による煙臭の元である臭気成分を無臭成分に変えることを特徴とする。【選択図】なし【特許請求の範囲】
【請求項１】
火災による煙臭が残る建造物に、オリーブオイルを原料とした水溶液を均一に噴霧し、さらに、炭化過程で採取され精製処理された木酢液、竹酢液等の植物酢液を原料とした水溶液を均一に噴霧することを特徴とする火災による煙臭の除去方法。
【請求項２】
火災による煙臭が残る建造物に、炭化過程で採取され精製処理された木酢液、竹酢液等の植物酢液を原料とした水溶液を均一に噴霧し、さらに、オリーブオイルを原料とした水溶液を均一に噴霧することを特徴とする火災による煙臭の除去方法。
【請求項３】
火災による煙臭が残る建造物に、炭化過程で採取され精製処理された木酢液、竹酢液等の植物酢液を原料とした水溶液とオリーブオイルを原料とした水溶液を混合し、均一に噴霧することを特徴とする火災による煙臭の除去方法。
【請求項４】
請求項１または請求項２または請求項３の火災による煙臭の除去方法を行なった後、紫外線を当てることにより消臭効果を高め、消臭の時間を短縮する方法。
【請求項５】
請求項１または請求項２または請求項３の火災による煙臭の除去方法を行なった後、中性酸化チタン水溶液を塗布することにより消臭効果を高め、消臭効果を持続させる方法。
【発明の詳細な説明】
【技術分野】
【０００１】
本発明は、火災による煙臭の除去方法に関するものである。
【背景技術】
【０００２】
建造物の火災があった場合、焼失せずに残った非焼失部分には煙臭がしみついており、その後、長期間にわたって煙臭が残る。この火災による煙臭は、非焼失部分の表面を洗剤等で洗浄したり、壁紙等で覆ったりしただけでは消すことができなかった。
【０００３】
特に、屋内ではこの煙臭がこもってしまうため、せっかく焼失を免れたといっても、そのまま使用することができず、何らかの方法でこの煙臭を除去する必要があった。
屋内の臭いを除去する方法として、一般的には、オゾン発生機を利用して臭気成分を分解することにより消臭効果を得ている。
（例えば、特許文献１参照。）
【０００４】
中性酸化チタン水溶液を屋内の壁、天井、床等にコーティングして光触媒として機能させ、煙臭を分解することにより消臭効果を得ている。 （例えば、特許文献２参照。）
【０００５】
炭化過程で採取され精製処理された木酢液、竹酢液等の植物酢液を原料とした水溶液を噴霧することにより消臭効果を得ている。
【０００６】
【特許文献１】特許公開２００５−５８９６７
【０００７】
【特許文献２】特許公開２００４−２０２３７５
【発明の開示】
【発明が解決しようとする課題】
【０００８】
オゾン発生機による消臭方法では、屋内を密閉する必要があり、煤を残したままでは消臭に多大な時間と設備が必要だった。
【０００９】
中性酸化チタン水溶液を屋内の壁、天井、床等にコーティングして煙臭を分解する方法もあったが、臭気成分の量が多い場合、光触媒の効果だけでは十分に消臭できなかった。
【００１０】
炭化過程で採取され精製処理された木酢液、竹酢液等の植物酢液を原料とした水溶液を噴霧した場合も消臭効果が不十分であった。 
【課題を解決するための手段】
【００１１】
本発明は、噴霧器を使用し、火災による煙臭が残る部屋の壁，天井，床等に、オリーブオイルを原料とした水溶液を均一に噴霧し、さらに、炭化過程で採取され精製処理された木酢液、竹酢液等の植物酢液を原料とした水溶液を噴霧することにより、煙臭の元である臭気成分を無臭成分に変えることを特徴とする。
【発明の効果】
【００１２】
簡単にしかも短時間で火災による煙臭の除去が可能になった。
【発明を実施するための最良の形態】
【００１３】
噴霧器を使用し、火災による煙臭が残る部屋の壁、天井、床等に、オリーブオイルを原料とした水溶液を十分に噴霧する。噴霧した水溶液が建材に染み込み、滴れ落ちなくなるまで放置したのち、炭化過程で採取され精製処理された木酢液、竹酢液等の植物酢液を原料とした水溶液を均一に噴霧する。
【実施例１】
【００１４】
火災のあった鉄筋コンクリート製の住宅を復旧する際、火災によって付着した煤を除去し、スチーム洗浄したが臭気が取れなかった室内に、噴霧器を使用し、壁、天井、床等に、オリーブオイルを原料とした水溶液を均一に噴霧し、さらに、炭化過程で採取され精製処理された木酢液、竹酢液等の植物酢液を原料とした水溶液を噴霧することにより、臭気はなくなりその後も臭気は感じられなかった。
【実施例２】
【００１５】
火災のあった木造の店舗を復旧する際、 火災によって付着した煤を取り除かない状態で、噴霧器を使用し、火災による煙臭が残る部屋の壁、天井、床等に、オリーブオイルを原料とした水溶液を均一に噴霧し、さらに、炭化過程で採取され精製処理された木酢液、竹酢液等の植物酢液を原料とした水溶液を噴霧することにより、臭気はなくなりその後も臭気は感じられなかった。
【産業上の利用可能性】
【００１６】
火災のあった建造物を復旧する際、取り壊し部分を最少に押さえ復旧することが可能である。
(57)【要約】【課題】  褥瘡ができやすい臀部・仙骨部・大転子部などの体重負荷がかかる部位に関する体位や荷重圧を経時的・効率的により確実に変換し、褥瘡予防できるように、経時的に加圧調整可能な空気袋を備えた、おむつ・おむつカバーを提供する。【解決手段】  空気の注入、排気が可能なチューブ（５）を設けた左側空気袋（３）・右側空気袋（４）を設け、褥瘡予防用の、経時的に加圧調整可能な空気袋を備えたおむつ・おむつカバー（１）を特徴とする。【選択図】図１
2009226185.tif 000002
【特許請求の範囲】
【請求項１】
経時的に加圧調整可能な空気袋を備えたおむつ・おむつカバー
【請求項２】
左右交互に経時的に加圧調整可能な空気袋を左右それぞれに備えたおむつ・おむつカバー
【発明の詳細な説明】
【技術分野】
【０００１】  この発明は、褥瘡予防用おむつ・おむつカバーの臀部・仙骨部・大転子部などの体重負荷がかかる部位をおおう面に、経時的に加圧調整可能な空気袋を備えたおむつ・おむつカバーに関するものである。
【背景技術】
【０００２】  従来のおむつ・おむつカバーは、排泄物処理、吸湿、皮膚面の保温などの工夫・配慮はなされていたが、褥瘡予防についての工夫・配慮は不十分であった。従来の褥瘡予防用のおむつ・おむつカバーのなかに、下記の特許文献１に挙げた多数の３〜４ｃｍ半球状エアークッションをシート状に備えたものがあったようであるが、それは経時的に圧調節できる空気袋ではなく、本発明のような体位や荷重圧を経時的に変換する効果はなく、褥瘡予防方式としても本発明とは本質的に異なるものである。また、経時的に加圧調整可能な空気袋による褥瘡予防法は、ベッド、マット、布団、座布団、クッションなどに備えられたものはあったが、おむつ・おむつカバーに備えられたものはなかった。ベッド、マット、布団では大がかりで製作コストや重量が大きくなりやすく、また座布団、クッションでは位置がずれやすいなどの欠点があった。【０００３】  なお、本願発明に関連する公知技術として次の特許文献１を挙げることができる。【０００４】
【特許文献１】  特許公開平１０−２８６９７
【発明の開示】
【発明が解決しようとする課題】
【０００５】  従来の褥瘡予防用のおむつ・おむつカバーの効果をより効率よく確実とするため、また従来の褥瘡予防用のベッド、マット、布団などに比して、低コスト・低重量とするため、また従来の褥瘡予防用の座布団、クッションなどに比して、位置がずれにくく、より確実な効果がえられるものとするため、本発明はなされたものである。すなわち褥瘡ができやすい部位に関する体位や荷重圧を経時的・効率的により確実に変換し、褥瘡予防できるようにするため、経時的に加圧調整可能な空気袋を、おむつ・おむつカバー本体に設けたものである。
【課題を解決するための手段】
【０００６】  図１に示すように、おむつ・おむつカバー（１）本体の臀部・仙骨部・大転子部などの体重負荷がかかる部位をおおう面の左側、右側それぞれに、経時的に加圧調整可能な左側空気袋（３）、右側空気袋（４）を設ける。
本発明は、以上の構成よりなる、褥瘡予防用の、経時的に加圧調整可能な空気袋を備えたおむつ・おむつカバーである。
【発明の効果】
【０００７】  図２、図３のように、加圧調整可能な左右の空気袋は、空気を注入あるいは排気をすることによって、経時的または間欠的に左右交互に空気圧を変えることができ、その空気袋をおむつ・おむつカバー本体に備えることによって、臀部・仙骨部・大転子部などの褥瘡ができやすい部位に関する体位や皮膚面の圧力を、経時的・間欠的に、より確実に変換でき、褥瘡予防が可能となる。
【発明を実施するための最良の形態】
【０００８】  図１、図２、図３のように、おむつ・おむつカバー（１）の臀部・仙骨部・大転子部などの体重負荷がかかる部位（２）をおおう面の左側、右側それぞれに経時的に加圧調整可能な左側空気袋（３）、右側空気袋（４）を設ける。左側空気袋（３）、右側空気袋（４）それぞれには空気の注入、排気が可能なチューブ（５）および開閉可能な空気栓（６）を設け、空気注入器（７）を用いて経時的に左右交互に加圧・減圧の空気圧調整を行い、経時的に左右の腰・臀部・仙骨部・大転子部などの体重負荷圧調整・体位変換を可能として、褥瘡予防の効果を得る。【０００９】  また自動空気注入器システムで、左右交互に加圧すれば、人的省力化が可能である。【００１０】  また図４のように、おむつ・おむつカバーにポケット状の空気袋設置部（８）を設け、空気袋をおむつ・おむつカバーから着脱可能とすれば、おむつ・おむつカバーの交換や洗濯が可能となる。
【図面の簡単な説明】
【００１１】
【図１】本発明のおむつ・おむつカバーの外観図である
【図２】本発明を着用し左側空気袋を加圧した時の断面図である
【図３】本発明を着用し右側空気袋を加圧した時の断面図である
【図４】本発明のおむつ・おむつカバーの空気袋設置部をポケット状にして、空気袋を着脱可能とした外観図である
【符号の説明】
【００１２】    １  おむつ・おむつカバー
２  臀部・仙骨部・大転子部などの体重負荷がかかる部位
３  左側空気袋
４  右側空気袋
５  空気の注入、排気が可能なチューブ
６  開閉可能な空気栓
７  空気注入器
８  ポケット状の空気袋設置部
【図１】
2009226185.tif 000003
【図２】
2009226185.tif 000004
【図３】
2009226185.tif 000005
【図４】
2009226185.tif 000006
(57)【要約】      （修正有）【課題】上下プレートで目薬をはさみ、押しだす目薬ホルダーを提供する。【解決手段】柄５の上部に上下プレート１，２を取りつけ目薬をはさみ、スプリング３で目薬を押し出せるようにし、下プレート２にはスポンジ付ストッパー６を装着したことを特徴とする目薬ホルダー。【選択図】図１
2009226187.tif 000002
【特許請求の範囲】
【請求項１】
柄の上部に、押さえプレート、受けプレートを設け、目薬の入った容器をはさみスプリングで目薬を押し出せるようにし、受けプレートにスポンジ付ストッパーを装着したことを特徴とする目薬ホルダー。
【発明の詳細な説明】
【技術分野】
【０００１】  本発明は目薬の容器を上下ではさみ、スプリングを利用して目薬を押し出すようにした目薬ホルダーに関するものである。
【背景技術】
【０００２】  今までに市販品でこのようなものはなかった。
【発明の開示】
【発明が解決しようとする課題】
【０００３】  首や肩が痛くて腕が上がらず、上を向けない高齢者は、自分で目薬をさすことが困難だった。
【課題を解決するための手段】
【０００４】  柄の上部に押さえプレート、受けプレートを設け、目薬をはさみ、スプリングで目薬を押し出せるようにした。下まぶたを下げるために肌に解れても痛くないスポンジ付ストッパーを装着した。以上を特徴とする目薬ホルダーである。
【発明の効果】
【０００５】  顔を正面に向けたまま、指でリングを引くと目薬がさせる。
【発明を実施するための最良の形態】
【０００６】（イ）柄の上部にちょうつがいで上下する押さえプレート（１）、受けプレート（２）を設ける。
（ロ）受けプレートの先端に、スポンジをつけたストッパー（６）を装着する。
（ハ）押さえプレート（１）と柄（５）をスプリング（３）でつなぐ。
（ニ）押さえプレート（１）の先端にひもとおし穴（７）を設け、リング（４）を装着する。
本発明は以上のような構成で、これを使用する時は押さえプレート（１）と受けプレート（２）の間にキャップをはずした目薬をはさみ、スポンジ付ストッパー（６）を下まぶたの目のきわぎりぎりにあわせ、押さえながら下げる。
リング（４）を指で下に引っぱり、適量を点眠する。
【図面の簡単な説明】
【０００７】
【図１】本発明の斜視図
【図２】本発明の実施例を示す斜視図
【符号の説明】
【０００８】１  押さえプレート
２  受けプレート
３  スプリング
４  リング
５  柄
６  スポンジ付ストツパー
７  ひもとおし穴
【図１】
2009226187.tif 000003
【図２】
2009226187.tif 000004
(57)【要約】【課題】  メガネをかけてマスクをする時、メガネのレンズが曇らない様に、マスクから漏れる息を、さえぎる仕組みの曇り止めを提供する。【解決手段】  鼻から目の下を覆うような立体の板  図１をマスクに取り付け、メガネで押さえて、マスクの隙間から漏れる息がメガネに当たるのを防ぎ、メガネの曇りを防ぐ構造を特徴とする。【選択図】図１
2009226183.tif 000002
【特許請求の範囲】
【請求項１】
立体に造られた通気性の無い板  図１を、メガネ  図４（３）のフレームを利用し顔に押し当て、さらに、マスク  図（４）４と一体化させる事により、立体に造られた通気性の無い板が顔に密着して、マスクから漏れる息がメガネのレンズに当たるのを防ぐ構造が特徴のメガネの曇り止めです。
【請求項２】
前記、立体に造られた板とは、メガネの鼻あて部付近から目の下を覆う形  図１（２）に、折り返し  図１（１）を付けた形状  図１  を、特徴とする、請求項１記載のメガネの曇り止めです。
【発明の詳細な説明】
【技術分野】
【０００１】  この発明は、マスク使用時のメガネの曇り防止、に関するものである。
【背景技術】
【０００２】  従来、マスクは、両耳にかけたゴム紐で、口と鼻を覆う布を支えている。鼻の横とマスクのすきま間が無くなるようにマスクの上から押さえる構造ではない。
【発明の開示】
【発明が解決しようとする課題】
【０００３】  以上の技術によれば、次のような欠点があった。
メガネをかけてマスクをすると、鼻の横とマスクの間から漏れた息が、メガネのレンズにかかり、レンズが曇って、視界が悪くなり困る事が多かった。
そこで、この発明は、メガネをかけてマスクをしても、メガネを曇りにくくする道具を提供することを課題とする。
【課題を解決するための手段】
【０００４】  以上の課題を解決するために、第一発明は、立体に造られた通気性の無い板  図１  を、メガネのフレーム  図３（３）を利用し顔に押し当て、さらに、マスクに一体化させる事により、立体に造られた通気性の無い板  図１  が顔に密着して、鼻の横とマスクのすきま間から漏れる息がメガネのレンズに当たるのを防ぐ構造が特徴の、メガネの曇り止めである。
また、第二発明は、メガネの鼻あて部付近から目の下を覆うように立体に造られた通気性の無い板  図１（２）に、折り返し  図１（１）を付けた形状  図１を、特徴とする、メガネの曇り止めである。
【発明の効果】
【０００５】  第一発明、または第二発明によれば、立体に造られた通気性の無い板  図１  がメガネで押さえられて、鼻の横とマスクのすきま間から漏れる息がメガネにかかるのを防ぐため、メガネが曇りにくい。
【発明を実施するための最良の形態】
【０００６】  以下、本発明を実施するための最良の形態について説明する。
鼻全体、と目の下を覆うような板  図１（２）と、顔に密着させる折り返し  図１（１）を組み合わせた立体形  図１  を、薄い弾力のある通気性の無い板で作る。  その立体に造られた通気性の無い板  図３（２）を、マスク  図３（４）と重なる  図３（６）の部分で、両面テープで張り会わせ一体化させてマスクをかける。メガネ  図３（３）の鼻あて付近のフレームを利用して  通気性の無い板  図３（２）とメガネ  図３（３）が重なる図３（５）の部分を押さえると、通気性の無い板  図３（２）が顔に近づきながら横に広がるので、折り返し  図３（１）が浮き上がり鼻の周りから目の下に密着する為、鼻の横とマスクのすきま間から漏れる息が遮断され、メガネが曇りにくくなる。【０００７】「実施形態の効果」
この実施形態によれば、通気性の無い板  図３（２）が、マスク  図３（４）を支える為、マスクと、口や鼻の間に空間ができ、マスクをつけたときの息苦しさが軽減される。【０００８】「他の実施形態」
発明を実施するための最良の形態では、通気性の無い板  図３（２）を、マスクと重なる部分  図３（６）で  両面テープにより張り合わせマスクと一体化させる、としてあったが、他の実施形態では  通気性の無い板  図３（２）を２枚重ねにして、それにマスク  図３（４）を挟み込み一体化させたものや、ピン又ボタンを使い一体化させたもの、又、マスク  図３（４）の生地で  立体に造られた通気性の無い板  図１全体を包み一体化させたものでも良い。
又、本発明の材質と形状は、平面のシート、紙、又、プラスチックを型抜きした２枚  、図１（１）図１（２）を組み合わせて２つ折にたためる形状でも良いし、発泡樹脂やゴム又、プラスチックを  立体に整形した形  図１のものでも良い。
【図面の簡単な説明】
【０００９】
【図１】  本発明の斜視図である。
【図２】  本発明の背面図である。
【図３】  本発明及び、それを使用する際に付随する物のＡ−Ａ断面図である。
【図４】  本発明及び、それを使用する際に付随する物の正面図である。
【符号の説明】
【００１０】  １  曇り止め、折り返しの板。
２、曇り止め、鼻から目の下を覆う板。
３  メガネ。
４  マスク。
５  曇り止めをメガネで押さえる部分。
６  曇り止めとマスクを接着して、一体化させる部分。
【図１】
2009226183.tif 000003
【図２】
2009226183.tif 000004
【図３】
2009226183.tif 000005
【図４】
2009226183.tif 000006
(57)【要約】      （修正有）【課題】窓の下部は閉じたまま、窓の上部だけを開けることのできるカーテンを提供する。【解決手段】窓枠の上部に上フレーム２を取付金具８により固定設置し、上フレーム２には上コード３の操作により下フレーム５を昇降させる機構及びケーブル４を設ける。窓枠に対して自由に昇降する下フレーム５に下コード６の操作によりカーテン７を昇降させる機構を設ける。下フレーム５を降下させることにより窓の上部だけを開けることができることを特徴とするカーテン。【選択図】図１
2009226179.tif 000002
【特許請求の範囲】
【請求項１】
窓枠上端に固定設置した上フレームから、カーテンを備えた下フレームを降下させることにより、窓の上部だけを開けることができることを特徴とするカーテン。
【発明の詳細な説明】
【技術分野】
【０００１】  本発明は、窓の下部はカーテンを閉じたまま、必要に応じ、窓の上部だけを開くことができるカーテンに関するものである。
【背景技術】
【０００２】  従来、窓のカーテンを開けるときは、カーテンを下端から順次上方に引き上げることによってその下端より順次上方に開いてゆき、カーテン下端が上がりきった時、窓が全開状態に至るようになっている。
【発明が解決しようとする課題】
【０００３】  そのために、次のような問題点があった。
（イ）カーテンを開けて外を見る場合、カーテン下端を目の位置より高い位置にまで引き上げなければならないが、この場合カーテン下端から下の窓は完全に開いた状態になり、室内は外部からの視線に晒され易いことになる。
本発明は以上の問題点を解決しようとするものである。
【課題を解決するための手段】
【０００４】  カーテンならびに、カーテン昇降機構をを備えた下フレームがコードの操作により窓枠に対して下降し、これにより窓の上部だけを開けることができる。以上を特徴とする窓の上部だけを開けることができるカーテンである。
【発明の効果】
【０００５】  窓の下部のカーテンは閉じたまま、上部だけを必要なだけ開けることができるので内部からは外部をよく見渡すことができても、外部からの視線には晒され難く防犯上の見地からも望ましい。
また、場合によっては、下部のカーテンが周囲の家並，人車の往来などを遮蔽することにより、空だけが見えることになり、癒し効果も見込まれる。
【発明を実施するための最良の形態】
【０００６】  以下、本発明の実施の形態について説明する。
（イ）窓枠（１）の上端に上フレーム（２）を、取付金具（８）により固定設置する。
（ロ）上フレーム（２）には、上コード（３）の操作により下フレーム（５）を昇降さ        せる機構及びケーブル（４）を設ける。
（ハ）窓枠（１）に対して自由に昇降する下フレーム（５）に下コード（６）の操作に        よりカーテン（７）を昇降させる機構を設ける。
（二）（ロ）中に示されたケーブル（４）に下フレーム（５）を連結する。
本発明は以上のような構造で、これを使用するときは、窓の上部だけを開ける場合は、上フレーム（２）に設けた上コード（３）の操作により下フレーム（５）を必要なだけ降下させ、これにより上フレーム（２）と下フレーム（５）の間に窓が開くことになる。
なおこの場合、下フレーム（５）が降下した分カーテン（７）の下端長さに余りを生ずるが、これは下フレーム（５）に設けた下コード（６）の操作により必要量上昇させる。また、上コード（３）の操作により下フレームを上限まで上昇させておけば、以後下コード（６）の操作によりカーテン（７）を昇降させる在来型のカーテンとして使用することができる。
【図面の簡単な説明】
【０００７】
【図１】本発明の斜視図
【図２】本発明の使用状態を示す斜視図（窓全開時）
【図３】本発明の使用状態を示す斜視図（窓上部のみ開放時）
【図４】フレーム昇降機構部断面図
【符号の説明】
【０００８】１  窓枠
２  上フレーム
３  上コード
４  ケーブル
５  下フレーム
６  下コード
７  カーテン
８  取付金具
【図１】
2009226179.tif 000003
【図２】
2009226179.tif 000004
【図３】
2009226179.tif 000005
【図４】
2009226179.tif 000006
(57)【要約】【課題】  本発明は、中心軸に環面のスライドを設け、一体となっている浮き部のフロートとの水の上昇によって炊飯器の上部に大きくする字を表示できるように工夫した炊飯水量計具を提供する。【解決手段】  中心軸の最上部にキャップを設け、その軸に浮きのフロートと一体となっているスライドを貫通させ、軸の上部に数字を書き入れ、水に入れると、フロートと一体となっているスライドが上昇し、スライド上部の窓に数字が入ると水を止めて、炊飯器の上部に望みのお米の水量を数字で大きく見ることができる炊飯水量計具。【選択図】図１
2009226173.tif 000002
【特許請求の範囲】
【請求項１】
中心軸の最上部にキャップを設け、その軸に浮きのフロートと一体となっているスライドを貫通させ、軸の上部に数字を書き入れ、水に入れると、フロートと一体となっているスライドが上昇し、スライド上部の窓に数字が入ると水を止めて、炊飯器の上部に望みのお米の水量を数字で大きく見ることができる炊飯水量計具。
【発明の詳細な説明】
【技術分野】
【０００１】  本発明は、中心軸に環面のスライドを設け、一体となっている浮き部のフロートとの水の上昇によって炊飯器の上部に大きくする字を表示できるように工夫した炊飯水量計具に関するものである。
【背景技術】
【０００２】  従来、お米を研いだ後の水量の計りに炊飯器の真ん中を中心にして水量の数字があった。
【発明の開示】
【発明が解決しようとする課題】
【０００３】  そのために、若い人なら良いが、目の視力が弱い人や老人などは、数字が炊飯器の真ん中を中心に書いているため、数字が見にくく、いざ水を入れて、慌てて老眼鏡を取り出す始末であった。
本発明は、上記の問題点を解決しようとするものである。
【課題を解決するための手段】
【０００４】  上記問題を解決するため、中心軸の上部にキャップを設け、軸に浮きのフロートと一体となっている貫通部を設けて、上部の窓から軸の上部に書いてある数字まで貫通部が上昇し、水量を計ることを特徴とする炊飯水量計具である。
【発明の効果】
【０００５】  炊飯器の中央に水量計具を差し込んで、お米に対しての水量を計る簡単なものである。
【発明を実施するための最良の形態】
【０００６】  以下、本発明の実施するための最良の形態について説明する
（イ）キャップ（１）の下部に中心軸（２）を設け、上部に水量を表示する数字（３）を書く。
（ロ）中心軸を環通しているスライド（５）を設け、上部に窓（４）を設ける。
（ハ）スライドを抱き合わせて一体となっている。
浮き部のフロート（６）を設ける。
（ニ）下に落下しないように止め具のストッパー（７）を設ける。
本発明は、以上のような構成である。
本発明の使い方を説明する。
中心軸の上部に表示されている５の数字は、本日は、５合のお米を炊くことを意味しているのである。
したがって、５号のお米をとく前に、前もって炊飯器に水を入れて調整してあるものである。
お米を研いだ後の炊飯器の中央にキャップ（１）を真ん中に差し込み、水を少しずつ入れると、浮き部のフロート（６）と一体となっている。
環通のスライド（５）が上昇し中心軸（２）の上部に書いてある数字５（３）が上昇してきたスライド（５）の上部の窓（４）に５の数字が入ったならば、素早く水を止めて望みの水量が得られるのである。
また、水量の変更には、５の数字の１ｃｍぐらい下の右側には、４の数字、背面の１ｃｍぐらい下には、３の数字、５の数字の上１ｃｍぐらいの左側には、６の数字が表示されている。
このように正面からは、一字しか見えないので、目の視力が弱い人も見間違いすることはない。
また、数字を変えるにはスライド（５）を回すのであるが、自然には回りません。
なぜなら、中心軸（２）は、スライド（５）の窓までしか四角ではなく、窓の下からは丸く細くなっているので少し力を入れると、カチンと音と共に回るので数字を変えるのである。
また、浮き部のフロート（６）は、市売品を、約７０度、８０度の高温に熱すると中の空気が膨張してふくらみ、約４０％以上浮力を高めたものである。
以上が、本発明の使用法である。
目の視力が弱い人や老人も、眼鏡なしでも、簡単に水量を計ることができる炊飯水量計具である。
【図面の簡単な説明】
【０００７】
【図１】  本発明の正面図である。
【図２】  本発明の使用状態を説明した説明図である。
【符号の説明】
【０００８】  １  キャップ
２  中心軸
３  数字
４  窓
５  スライド
６  フロート
７  ストッパー
【図１】
2009226173.tif 000003
【図２】
2009226173.tif 000004
(57)【要約】【課題】  本発明は、巻きもの調理用の巻き上げ固定具である。  従来の固定具は、布繊維や化学繊維のタコ糸・ネット等を使用しているため、直火調理や揚げもの調理には使えなかった。  叉、使用する際は、ぐるぐると巻き上げる等の手間がかかり、更に、巻き上げ固定した形はいびつになりがちであった。  叉、汚れ・臭い等が付着することから、使い捨てとなっていた。  本発明は、直火・揚げもの調理にも対応し、ワンタッチで固定・取り外しが可能で、更に固定強度を強め、叉多数回再使用できる固定具を提供する。【解決手段】    巻きもの調理に使用する固定具を総ステンレス製とする。  構造は亀甲型の編み込みネットを主体とし、固定するためのフックを付設する。  更にフック付きステンレスワイヤーを補助具とし、より巻き上げ強度を高めることも可能とする。【選択図】図１
2009226178.tif 000002
【特許請求の範囲】
【請求項１】
ステンレス製亀甲式編みこみネットを主体とした、あらゆる加熱調理に対応でき、多数回再使用できる、総ステンレス製の巻きもの調理固定具。
【請求項２】
請求項１のネットでの巻き上げ固定・取り外しをワンタッチでするためのフックを付設した、巻きもの調理固定具。
【請求項３】
請求項２の巻きもの調理固定具を、より強く巻き上げ・固定する補助具としての、総ステンレス製フック付きワイヤー。
【発明の詳細な説明】
【技術分野】
【０００１】  本発明は、焼豚・煮豚等の巻きもの調理をする際、あらゆる加熱調理に対応し、より形よく、更に簡易に固定・取り外しができ、多数回再使用できる、総ステンレス製固定具に関するものである。
【背景技術】
【０００２】  従来、巻きもの料理を調理する際、布繊維や化繊のタコ糸・ネット等で巻き、固定していた。  しかしこの手法では、直火で焼いたり、高温の油で揚げたりはできず、煮もの・蒸しもの等での使用に限られていた。  叉、使用する際は、ぐるぐると巻き上げる等の手間がかかり、更に、巻き上げて固定した形は一定せず、いびつになりがちであった。  叉、使用したタコ糸・ネット等は、汚れ・臭い等が染みつく為、使い捨てとなっていた。
【発明の開示】
【発明が解決しようとする課題】
【０００３】  従来の、布・化繊製繊維のタコ糸・ネット等の素材でできた固定具を使用すると、固定具自体が焼け焦げし、直火調理・揚げもの調理等はできなかった。【０００４】  叉、タコ糸・ネット等は柔らかいため、巻き上げ固定した形が一定せず、いびつになりがちだった。【０００５】  更に、タコ糸等で巻き上げるには、何度もぐるぐると巻き上げるというような手数がかかっていた。【０００６】  叉、一度使用したタコ糸・ネット等は、汚れや臭いが染み付いたりするため使い捨てにしていた。【０００７】  本発明は、これらの問題点を解決するためになされたものである。
【課題を解決するための手段】
【０００８】  巻きもの調理に使用する固定具を総ステンレス製とする。  構造は亀甲型の編み込みネットを主体とし、固定するためのフックを付設する。  更にフック付きステンレスワイヤーを補助具とし、より巻き上げ強度を高めることも可能とする。
【発明の効果】
【０００９】  本発明の巻きもの固定具は、使用素材を総ステンレス製とすることにより直火調理・揚げもの調理等、あらゆる加熱調理に対応し、固定した際の形状もより均等に形よく安定し、叉、付設したフックによりワンタッチで簡易に固定・取り外しが可能となる。  更にフック付きワイヤーで巻き上げ補強することにより、より強固に固定できる。  叉、総ステンレス製のため、汚れ臭い等がしみこまず、多数回再使用可能となる。
【発明を実施するための最良の形態】
【００１０】以下、本発明の実施の形態を図１〜図３に基づいて説明する。
（イ）図においては（１）はステンレス製亀甲式編みこみネットで、これに（２）ステンレス製丸棒を付設し、ネットの端は（３）結着させ、巻き網を構成する。
（ロ）上記巻き網の（２）ステンレス製丸棒に（４）ステンレス製フックを付設し、以上をもって巻き上げ固定具を構成する。
（ハ）更に巻き込み強度を高める場合は、（６）（８）ステンレス製フック、および（７）ステンレス製リング付きワイヤーロープ（５）を使用し補強する。
本発明は、以上の構成より成り、その使用方法について説明する。
（ニ）調理対象を図２の巻き上げ固定具に乗せ、くるくると巻き上げる。
（ホ）巻き終えたら最後に（４）のフックを使用し、（２）丸棒、叉は、（１）ネットの直近の部分にフックし固定する。
（ヘ）更にガッチリと強固に固定したい場合は、（５）フック付きワイヤーロープのフック（６）を（１）丸棒にフックし、（７）ステンレス製リングに指をいれ、きつく巻き上げ、（８）のフックを（２）丸棒、叉は、（１）ネットの直近の部分にフックし固定する。
【図面の簡単な説明】
【００１１】
【図１】  本発明使用時の斜視図
【図２】  本発明要部拡大の正面図
【図３】  本発明補助具拡大の正面図
【符号の説明】
【００１２】  １  亀甲式編みこみネット  ２  丸棒  ３  亀甲式編みこみネット結着部  ４  フック  ５  ワイヤーロープ  ６  フック  ７  リング  ８  フック
【図１】
2009226178.tif 000003
【図２】
2009226178.tif 000004
【図３】
2009226178.tif 000005